(57)【要約】      （修正有）【課題】故障や粉詰まりの少ない粉末容器を安価に提供する。【解決手段】粉末を収納し、その側面が容器中部の漏斗状の傾斜に沿い、末端が容器中部２の排出口６の内部に届く掻き落とし部材４を備える容器上部１と、漏斗状を呈し排出口を有する容器中部２を螺合により一体化し、容器上部１と容器中部２の螺合を回転及び空転させる事で容器上部１の掻き落とし部材４が容器中部２内壁に付着した粉末を掻き落とす。【選択図】図２
2006290461.tif 000002
【特許請求の範囲】
【請求項１】
粉末を収納し、攪拌部材を備える容器上部と、漏斗状を呈し排出口を有する容器中部と、容器中部の排出口を塞ぐ容器下部から構成され、容器上部と容器中部が螺合により、容器中部と容器下部が螺合又は嵌め込みによって一体化し、容器上部と容器中部の螺合を回転及び空転させる事で容器上部の攪拌部材が容器中部の排出口からの粉末の排出を促すように容器上部と共に回転する事を特長とする粉末容器。
【請求項２】
粉末を収納し、攪拌部材を備える容器上部と、漏斗状を呈し排出口を有する容器中部から構成され、螺合により一体化し、容器上部と容器中部の螺合を回転及び空転させる事で容器上部の攪拌部材が容器中部の排出口からの粉末の排出を促すように容器上部と共に回転する事を特長とする粉末容器。
【請求項３】
粉末を収納し、その側面が容器中部の漏斗状の傾斜に沿い、末端が容器中部の排出口の上端に届く掻き落とし部材を備える容器上部と、漏斗状を呈し排出口を有する容器中部から構成され、容器上部と容器中部が着脱自在な固定手段により一体化し、容器上部と容器中部の固定をはずし、回転及び空転させる事で容器上部の掻き落とし部材が容器中部内壁に付着した粉末を掻き落とすように容器上部と共に回転する事を特長とする粉末容器。
【請求項４】
粉末を収納し、その側面が容器中部の漏斗状の傾斜に沿い、末端が容器中部の排出口の上端に届く掻き落とし部材を備える容器上部と、漏斗状を呈し排出口を有する容器中部から構成され、容器上部と容器中部が螺合により一体化し、容器上部と容器中部の螺合を回転及び空転させる事で容器上部の掻き落とし部材が容器中部内壁に付着した粉末を掻き落とすように容器上部と共に回転する事を特長とする粉末容器。
【請求項５】
粉末を収納し、その側面が容器中部の漏斗状の傾斜に沿い、末端が容器中部の排出口の上端に届く掻き落とし部材を持ち、その上部と下部にねじ山を備える容器上部と、その上部にねじ山を持ち、漏斗状を呈し排出口を有する容器中部から構成され、容器上部の上部ねじ山と容器中部の上部ねじ山の螺合により一体化し、容器上部の上部ねじ山と容器中部の上部ねじ山の螺合を回転及び空転させる事で容器上部の掻き落とし部材が容器中部内壁に付着した粉末を掻き落とすように容器上部と共に回転し、容器上部の下部ねじ山と容器中部の上部ねじ山が容器上部と容器中部の脱離を防止する事を特長とする粉末容器。
【請求項６】
粉末を収納し、その側面が容器中部の漏斗状の傾斜に沿い、末端が容器中部の排出口の内部に届く掻き落とし部材を備える容器上部と、漏斗状を呈し排出口を有する容器中部から構成され、容器上部と容器中部が着脱自在な固定手段により一体化し、容器上部と容器中部の固定をはずし、回転及び空転させる事で容器上部の掻き落とし部材が容器中部内壁に付着した粉末を掻き落とすように容器上部と共に回転する事を特長とする粉末容器。
【請求項７】
粉末を収納し、その側面が容器中部の漏斗状の傾斜に沿い、末端が容器中部の排出口の内部に届く掻き落とし部材を備える容器上部と、漏斗状を呈し排出口を有する容器中部から構成され、容器上部と容器中部が螺合により一体化し、容器上部と容器中部の螺合を回転及び空転させる事で容器上部の掻き落とし部材が容器中部内壁に付着した粉末を掻き落とすように容器上部と共に回転する事を特長とする粉末容器。
【請求項８】
粉末を収納し、その側面が容器中部の漏斗状の傾斜に沿い、末端が容器中部の排出口の内部に届く掻き落とし部材を持ち、その上部と下部にねじ山を備える容器上部と、その上部にねじ山を持ち、漏斗状を呈し排出口を有する容器中部から構成され、容器上部の上部ねじ山と容器中部の上部ねじ山の螺合により一体化し、容器上部の上部ねじ山と容器中部の上部ねじ山の螺合を回転及び空転させる事で容器上部の掻き落とし部材が容器中部内壁に付着した粉末を掻き落とすように容器上部と共に回転し、容器上部の下部ねじ山と容器中部の上部ねじ山が容器上部と容器中部の脱離を防止する事を特長とする粉末容器。
【請求項９】
粉末を収納し、その支持部が容器中部の漏斗状の傾斜に沿い、末端が容器中部の排出口の上端に届く押し出し部材を備える容器上部と、漏斗状を呈し排出口を有する容器中部から構成され、容器上部と容器中部が着脱自在な固定手段により一体化し、容器上部と容器中部の固定をはずし、容器上部を上下動させる事で容器上部の押し出し部材が容器中部の排出口から粉末を押し出すように容器上部と共に上下動する事を特長とする粉末容器。
【請求項１０】
粉末を収納し、その支持部が容器中部の漏斗状の傾斜に沿い、末端が容器中部の排出口の上端に届く押し出し部材を備える容器上部と、漏斗状を呈し排出口を有する容器中部から構成され、容器上部と容器中部が螺合により一体化し、容器上部と容器中部の螺合をはずし、容器上部を上下動させる事で容器上部の押し出し部材が容器中部の排出口から粉末を押し出すように容器上部と共に上下動する事を特長とする粉末容器。
【請求項１１】
粉末を収納し、末端が容器中部の排出口の上端に届く押し出し部材を持ち、上部と下部にねじ山を備える容器上部と、その上部にねじ山を持ち、漏斗状を呈し排出口を有する容器中部から構成され、容器上部の上部ねじ山と容器中部の上部ねじ山の螺合により一体化し、容器上部の上部ねじ山と容器中部の上部ねじ山の螺合をはずし、容器上部を上下動させる事で容器上部の押し出し部材が容器中部の排出口から粉末を押し出すように容器上部と共に上下動し、容器上部の下部ねじ山と容器中部の上部ねじ山が容器上部と容器中部の脱離を防止する事を特長とする粉末容器。
【請求項１２】
粉末を収納し、その支持部が容器中部の漏斗状の傾斜に沿い、末端が容器中部の排出口の上端に届く押し出し部材を持ち、その上部と下部にねじ山を備える容器上部と、その上部にねじ山を持ち、漏斗状を呈し排出口を有する容器中部から構成され、容器上部の上部ねじ山と容器中部の上部ねじ山の螺合により一体化し、容器上部の上部ねじ山と容器中部の上部ねじ山の螺合をはずし、容器上部を上下動させる事で容器上部の押し出し部材が容器中部の排出口から粉末を押し出すように容器上部と共に上下動し、容器上部の下部ねじ山と容器中部の上部ねじ山が容器上部と容器中部の脱離を防止する事を特長とする粉末容器。
【請求項１３】
粉末を収納し、その支持部が容器中部の漏斗状の傾斜に沿い、末端が容器中部の排出口の内部に届く押し出し部材を備える容器上部と、漏斗状を呈し排出口を有する容器中部から構成され、容器上部と容器中部が着脱自在な固定手段により一体化し、容器上部と容器中部の固定をはずし、容器上部を上下動させる事で容器上部の押し出し部材が容器中部の排出口から粉末を押し出すように容器上部と共に上下動する事を特長とする粉末容器
【請求項１４】
粉末を収納し、その支持部が容器中部の漏斗状の傾斜に沿い、末端が容器中部の排出口の内部に届く押し出し部材を備える容器上部と、漏斗状を呈し排出口を有する容器中部から構成され、容器上部と容器中部が螺合により一体化し、容器上部と容器中部の螺合をはずし、容器上部を上下動させる事で押し出し部材が容器中部の排出口から粉末を押し出すように容器上部と共に上下動する事を特長とする粉末容器
【請求項１５】
粉末を収納し、末端が容器中部の排出口の内部に届く押し出し部材を持ち、上部と下部にねじ山を備える容器上部と、その上部にねじ山を持ち、漏斗状を呈し排出口を有する容器中部から構成され、容器上部の上部ねじ山と容器中部の上部ねじ山の螺合により一体化し、容器上部の上部ねじ山と容器中部の上部ねじ山の螺合をはずし、容器上部を上下動させる事で容器上部の押し出し部材が容器中部の排出口から粉末を押し出すように容器上部と共に上下動し、容器上部の下部ねじ山と容器中部の上部ねじ山が容器上部と容器中部の脱離を防止する事を特長とする粉末容器。
【請求項１６】
粉末を収納し、その支持部が容器中部の漏斗状の傾斜に沿い、末端が容器中部の排出口内部に届く押し出し部材を持ち、その上部と下部にねじ山を備える容器上部と、その上部にねじ山を持ち、漏斗状を呈し排出口を有する容器中部から構成され、容器上部の上部ねじ山と容器中部の上部ねじ山の螺合により一体化し、容器上部の上部ねじ山と容器中部の上部ねじ山の螺合をはずし、容器上部を上下動させる事で容器上部の押し出し部材が容器中部の排出口から粉末を押し出すように容器上部と共に上下動し、容器上部の下部ねじ山と容器中部の上部ねじ山が容器上部と容器中部の脱離を防止する事を特長とする粉末容器。
【発明の詳細な説明】
【技術分野】
【０００１】本発明は、食品、洗剤などの粉末を収納及び携帯する粉末容器に関するものである。
【背景技術】
【０００２】従来から、粉末携帯容器として多数の部品からなる物や、袋状の物、粉末の凝固を防止及び解決するような攪拌部材を備えるものがある。この例として、以下に開示されているものがある。
【特許文献１】特開平１０−３１０１５０号公報
【特許文献２】実開昭５４−６４０７９号公報
【特許文献３】実開昭５８−１５９９７９号公報
【特許文献４】実開平１−１５８７７７号公報
【特許文献５】実開昭５０−９２７７号公報
【特許文献６】実開昭５２−１７２５７号公報
【特許文献７】実願昭４７−６３７６７号公報
【特許文献８】特開昭５３−２５１８２号公報
【発明の開示】
【発明が解決しようとする課題】
【０００３】従来の粉末携帯容器は円筒状である事でぺットボトルへ差し込んでの粉末充填を行うのに充分に細く設計すると、その分粉末の収納量が減少してしまう欠点があった。容器を漏斗状に形状を変えてこの欠点を補おうとすると、漏斗状部の内面において、収納粉末の粒子同士の間あるいは粒子と容器の間の摩擦や、粒子同士の間あるいは粒子と壁面の付着を原因とする架橋による粉詰まりが発生してしまう。上記の既存の技術には、粉末の排出のための部材を備えていないため、粉詰まりを起こす不都合が生じるものがあった。また、粉末の排出のための部材が漏斗状の内壁に沿った形状ではない場合は、漏斗状部の壁面と粒子の付着の解消ができないなどの不都合が生じていた。本発明はこのような不都合を解決する。
【課題を解決するための手段】
【０００４】この課題を解決するために請求項１の発明の特長は、粉末を収納し、攪拌部材を備える容器上部と、漏斗状を呈し排出口を有する容器中部と、容器中部の排出口を塞ぐ容器下部から構成され、容器上部と容器中部が螺合により、容器中部と容器下部が螺合又は嵌め込みによって一体化し、容器上部と容器中部の螺合を回転及び空転させる事で容器上部の攪拌部材が容器中部の排出口からの粉末の排出を促すように容器上部と共に回転する事である。【０００５】この課題を解決するために請求項２の発明の特長は、粉末を収納し、攪拌部材を備える容器上部と、漏斗状を呈し排出口を有する容器中部から構成され、螺合により一体化し、容器上部と容器中部の螺合を回転及び空転させる事で容器上部の攪拌部材が容器中部の排出口からの粉末の排出を促すように容器上部と共に回転する事である。【０００６】この課題を解決するために請求項３の発明の特長は、粉末を収納し、その側面が容器中部の漏斗状の傾斜に沿い、末端が容器中部の排出口の上端に届く掻き落とし部材を備える容器上部と、漏斗状を呈し排出口を有する容器中部から構成され、容器上部と容器中部が着脱自在な固定手段により一体化し、容器上部と容器中部の固定をはずし、回転及び空転させる事で容器上部の掻き落とし部材が容器中部内壁に付着した粉末を掻き落とすように容器上部と共に回転する事である。【０００７】この課題を解決するために請求項４の発明の特長は、粉末を収納し、その側面が容器中部の漏斗状の傾斜に沿い、末端が容器中部の排出口の上端に届く掻き落とし部材を備える容器上部と、漏斗状を呈し排出口を有する容器中部から構成され、容器上部と容器中部が螺合により一体化し、容器上部と容器中部の螺合を回転及び空転させる事で容器上部の掻き落とし部材が容器中部内壁に付着した粉末を掻き落とすように容器上部と共に回転する事である。【０００８】この課題を解決するために請求項５の発明の特長は、粉末を収納し、その側面が容器中部の漏斗状の傾斜に沿い、末端が容器中部の排出口の上端に届く掻き落とし部材を持ち、その上部と下部にねじ山を備える容器上部と、その上部にねじ山を持ち、漏斗状を呈し排出口を有する容器中部から構成され、容器上部の上部ねじ山と容器中部の上部ねじ山の螺合により一体化し、容器上部の上部ねじ山と容器中部の上部ねじ山の螺合を回転及び空転させる事で容器上部の掻き落とし部材が容器中部内壁に付着した粉末を掻き落とすように容器上部と共に回転し、容器上部の下部ねじ山と容器中部の上部ねじ山が容器上部と容器中部の脱離を防止する事である。【０００９】この課題を解決するために請求項６の発明の特長は、粉末を収納し、その側面が容器中部の漏斗状の傾斜に治い、末端が容器中部の排出口の内部に届く掻き落とし部材を備える容器上部と、漏斗状を呈し排出口を有する容器中部から構成され、容器上部と容器中部が着脱自在な固定手段により一体化し、容器上部と容器中部の固定をはずし、回転及び空転させる事で容器上部の掻き落とし部材が容器中部内壁に付着した粉末を掻き落とすように容器上部と共に回転する事である。【００１０】この課題を解決するために請求項７の発明の特長は、粉末を収納し、その側面が容器中部の漏斗状の傾斜に沿い、末端が容器中部の排出口の内部に届く掻き落とし部材を備える容器上部と、漏斗状を呈し排出口を有する容器中部から構成され、容器上部と容器中部が螺合により一体化し、容器上部と容器中部の螺合を回転及び空転させる事で容器上部の掻き落とし部材が容器中部内壁に付着した粉末を掻き落とすように容器上部と共に回転する事である。【００１１】この課題を解決するために請求項８の発明の特長は、粉末を収納し、その側面が容器中部の漏斗状の傾斜に沿い、末端が容器中部の排出口の内部に届く掻き落とし部材を持ち、その上部と下部にねじ山を備える容器上部と、その上部にねじ山を持ち、漏斗状を呈し排出口を有する容器中部から構成され、容器上部の上部ねじ山と容器中部の上部ねじ山の螺合により一体化し、容器上部の上部ねじ山と容器中部の上部ねじ山の螺合を回転及び空転させる事で容器上部の掻き落とし部材が容器中部内壁に付着した粉末を掻き落とすように容器上部と共に回転し、容器上部の下部ねじ山と容器中部の上部ねじ山が容器上部と容器中部の脱離を防止する事である。【００１２】この課題を解決するために請求項９の発明の特長は、粉末を収納し、その支持部が容器中部の漏斗状の傾斜に沿い、末端が容器中部の排出口の上端に届く押し出し部材を備える容器上部と、漏斗状を呈し排出口を有する容器中部から構成され、容器上部と容器中部が着脱自在な固定手段により一体化し、容器上部と容器中部の固定をはずし、容器上部を上下動させる事で容器上部の押し出し部材が容器中部の排出口から粉末を押し出すように容器上部と共に上下動する事である。【００１３】この課題を解決するために請求項１０の発明の特長は、粉末を収納し、その支持部が容器中部の漏斗状の傾斜に沿い、末端が容器中部の排出口の上端に届く押し出し部材を備える容器上部と、漏斗状を呈し排出口を有する容器中部から構成され、容器上部と容器中部が螺合により一体化し、容器上部と容器中部の螺合をはずし、容器上部を上下動させる事で容器上部の押し出し部材が容器中部の排出口から粉末を押し出すように容器上部と共に上下動する事である。【００１４】この課題を解決するために請求項１１の発明の特長は、粉末を収納し、末端が容器中部の排出口の上端に届く押し出し部材を持ち、上部と下部にねじ山を備える容器上部と、その上部にねじ山を持ち、漏斗状を呈し排出口を有する容器中部から構成され、容器上部の上部ねじ山と容器中部の上部ねじ山の螺合により一体化し、容器上部の上部ねじ山と容器中部の上部ねじ山の螺合をはずし、容器上部を上下動させる事で容器上部の押し出し部材が容器中部の排出口から粉末を押し出すように容器上部と共に上下動し、容器上部の下部ねじ山と容器中部の上部ねじ山が容器上部と容器中部の脱離を防止する事である。【００１５】この課題を解決するために請求項１２の発明の特長は、粉末を収納し、その支持部が容器中部の漏斗状の傾斜に沿い、末端が容器中部の排出口の上端に届く押し出し部材を持ち、その上部と下部にねじ山を備える容器上部と、その上部にねじ山を持ち、漏斗状を呈し排出口を有する容器中部から構成され、容器上部の上部ねじ山と容器中部の上部ねじ山の螺合により一体化し、容器上部の上部ねじ山と容器中部の上部ねじ山の螺合をはずし、容器上部を上下動させる事で容器上部の押し出し部材が容器中部の排出口から粉末を押し出すように容器上部と共に上下動し、容器上部の下部ねじ山と容器中部の上部ねじ山が容器上部と容器中部の脱離を防止する事である。【００１６】この課題を解決するために請求項１３の発明の特長は、粉末を収納し、その支持部が容器中部の漏斗状の傾斜に沿い、末端が容器中部の排出口の内部に届く押し出し部材を備える容器上部と、漏斗状を呈し排出口を有する容器中部から構成され、容器上部と容器中部が着脱自在な固定手段により一体化し、容器上部と容器中部の固定をはずし、容器上部を上下動させる事で容器上部の押し出し部材が容器中部の排出口から粉末を押し出すように容器上部と共に上下動する事である。【００１７】この課題を解決するために請求項１４の発明の特長は、粉末を収納し、その支持部が容器中部の漏斗状の傾斜に沿い、末端が容器中部の排出口の内部に届く押し出し部材を備える容器上部と、漏斗状を呈し排出口を有する容器中部から構成され、容器上部と容器中部が螺合により一体化し、容器上部と容器中部の螺合をはずし、容器上部を上下動させる事で押し出し部材が容器中部の排出口から粉末を押し出すように容器上部と共に上下動する事である。【００１８】この課題を解決するために請求項１５の発明の特長は、粉末を収納し、末端が容器中部の排出口の内部に届く押し出し部材を持ち、上部と下部にねじ山を備える容器上部と、その上部にねじ山を持ち、漏斗状を呈し排出口を有する容器中部から構成され、容器上部の上部ねじ山と容器中部の上部ねじ山の螺合により一体化し、容器上部の上部ねじ山と容器中部の上部ねじ山の螺合をはずし、容器上部を上下動させる事で容器上部の押し出し部材が容器中部の排出口から粉末を押し出すように容器上部と共に上下動し、容器上部の下部ねじ山と容器中部の上部ねじ山が容器上部と容器中部の脱離を防止する事である。【００１９】この課題を解決するために請求項１６の発明の特長は、粉末を収納し、その支持部が容器中部の漏斗状の傾斜に沿い、末端が容器中部の排出口内部に届く押し出し部材を持ち、その上部と下部にねじ山を備える容器上部と、その上部にねじ山を持ち、漏斗状を呈し排出口を有する容器中部から構成され、容器上部の上部ねじ山と容器中部の上部ねじ山の螺合により一体化し、容器上部の上部ねじ山と容器中部の上部ねじ山の螺合をはずし、容器上部を上下動させる事で容器上部の押し出し部材が容器中部の排出口から粉末を押し出すように容器上部と共に上下動し、容器上部の下部ねじ山と容器中部の上部ねじ山が容器上部と容器中部の脱離を防止する事である。
【発明の効果】
【００２０】本発明は単純な構造を持ち、漏斗状の構造に起因する粉詰まり、漏斗状部の壁面と粒子の付着を解消し、簡易な洗浄、低コストでの製造が可能になり、上記不都合は解消される。
【発明を実施するための最良の形態】
【００２１】以下、請求項１の発明の実施の形態を図面に基づいて説明する。本発明はプラスチック、木材、金属などの加工性の良い素材で作られ、容器上部１、容器中部２、容器下部３、攪拌部材４からなる。【００２２】図２において容器上部１はその外側にねじ山５Ａを、その内側に攪拌部材４を備えた、粉末を収納する役割を持つ部品である。そして容器上部１と容器中部２を螺合する容器上部の下部ねじ山５Ａ、容器中部の上部ねじ山５Ｂの螺合を回転及び空転させる事で、内部の粉末を容器中部２の排出口６からの排出を促す動作をする。【００２３】容器中部２は排出口６、容器中部の上部ねじ山５Ｂと容器下部３を螺合する容器中部の下部ねじ山７Ａ、傾斜２Ａを備えた漏斗状部品である。【００２４】容器下部３は容器中部２の排出口６からの携帯時における粉漏れを防ぐ蓋状部品である。容器中部の下部ねじ山７Ａと螺合する為の容器下部の上部ねじ山７Ｂを備える。また、容器中部２と容器下部３の一体化を螺合ではなく図８のように蓋状部品３Ａを嵌め込み方式で行う実施例も考えられる。【００２５】攪拌部材４は容器上部１に収納した粉末の排出を促すよう設けられた部品である。図２、図５に示すように攪拌部材４は容器中部２の傾斜２Ａに沿って成型され、攪拌部材の高さｈは攪拌部材４の下端が排出口６の下端と同程度の高さになるようにとる。攪拌部材の上辺の長さＲは０より大きく、容器上部１の内直径より小さい範囲で決定されるが、効果を考慮すると攪拌部材の上辺の長さＲは容器上部１の内半径程度にするのが好ましい。攪拌部材の下辺の長さｒは０より大きく、排出口６の内直径より小さい範囲で決定されるが、効果を考慮すると攪拌部材の下辺の長さｒは排出口６の内半径と同一又はそれより少し小さいか大きい程度が好ましい。尚、攪拌部材の厚さｄは容器上部１と同程度にするのが好ましい。【００２６】図３に示すように、攪拌部材４は粉末の誘導を促すため容器上部１の内壁の法線方向から攪拌部材の傾きαだけ傾けて設けられ、攪拌部材の傾きαは内壁の法線方向を０度として−９０度から＋９０度の範囲から選択されるが、効果を考慮すると攪拌部材の傾きαは−３０度程度が好ましい。【００２７】上記請求項１記載の発明の実施例の使用法は、容器中部と容器下部のねじ山７Ａ、７Ｂを螺合し、容器上部１と容器中部２の螺合を外した状態で、容器上部１と容器中部２内に粉末を収納し、容器上部１と容器中部２を螺合して携帯する。使用時に容器下部３を外して、容器上部１と容器中部２の螺合を緩め、螺合が外れた後も空転させ続ける事で容器上部１と共に回転する攪拌部材４に促され、排出口６から容器内の粉末が排出される。この発明により、上に説明した通りに粉詰まりは解消され、また単純な構造から安価での製造、簡単な洗浄が可能である。【００２８】請求項２の発明の実施例は、上記の請求項１の発明の実施例から容器下部３と容器中部の下部ねじ山７Ａを取り去った図９のような構成である。その他の構成部品は上記の請求項１の発明の実施例で説明したものと同じであるため省略する。この発明により、上に説明した通りに粉詰まりは解消され、また請求項１の発明の実施例よりさらに単純な構造から安価での製造、簡単な洗浄が可能である。【００２９】請求項２から請求項１６の発明の実施例の正面図を図６に斜視図を図７に示すが、これに請求項１の発明の実施例のように、容器下部３や蓋状部品３Ａなどを設けて携帯性を高める実施例も考えられる。【００３０】請求項３の発明の実施例は図１０に示すように容器上部１、容器中部２、掻き落とし部材８からなり、プラスチック、木材、金属などの加工性の良い素材で作られる。【００３１】図１０において容器上部１はその内側に掻き落とし部材８と嵌合部９Ａを備えた、粉末を収納する役割を持つ部品である。そして容器上部１と容器中部２を嵌合する嵌合部９Ａ、９Ｂをはずし回転及び空転させる事で、容器中部２の内壁に付着した粉末を掻き落とす動作をする。【００３２】容器中部２は排出口６、傾斜２Ａ、嵌合部９Ｂを備えた漏斗状部品である。【００３３】掻き落とし部材８は容器中部２の内壁に付着した粉末を掻き落とすよう設けられた部品である。図１０、図１１に示すように掻き落とし部材８は容器中部２の傾斜２Ａに沿うように成形され、掻き落とし部材の高さｈ’は掻き落とし部材８の下端が排出口６の上端に届くようにとる。掻き落とし部材の上辺の長さＲ’は０より大きく、容器上部１の内直径より小さい範囲で決定されるが、効果を考慮すると掻き落とし部材の上辺の長さＲ’は容器上部１の内半径と同程度にするのが好ましい。掻き落とし部材の下辺の長さｒ’は０より大きく、排出口６の内直径より小さい範囲で決定されるが、効果を考慮すると掻き落とし部材の下辺の長さｒ’は排出口６の内半径と同程度にするのが望ましい。尚、掻き落とし部材の厚さｄ’は容器上部１と同程度にするのが好ましい。【００３４】図１２に示すように、掻き落とし部材８は容器上部１の内壁の法線方向から掻き落とし部材の傾きαだけ傾けて設けられ、掻き落とし部材の傾きαは内壁の法線方向を０度として−９０度から＋９０度の範囲から選択されるが、効果を考慮すると掻き落とし部材の傾きαは−３０度程度が好ましい。【００３５】上記請求項３記載の発明の実施例の使用法は嵌合部９Ａ、９Ｂを外した状態で、容器上部１と容器中部２内に粉末を収納し、嵌合部９Ａ、９Ｂを嵌合し使用準備を完了する。使用時は嵌合部９Ａ、９Ｂをはずし、空転させ続ける事で容器上部１と共に回転する掻き落とし部材８に掻き落とされ、排出口６から容器中部２の内壁に付着した粉末及び容器内の粉末が排出される。掻き落とし部材８が傾斜２Ａに沿っていることで容器中部２の内壁への付着が改善される。この発明により、上に説明した課題は解消され、また単純な構造から安価での製造、簡単な洗浄が可能である。【００３６】請求項４記載の発明の実施例は、上記請求項３記載の発明の実施例の嵌合９Ａ、９Ｂの代わりに容器上部１にねじ山５Ａを、容器中部にねじ山５Ｂを設けた図１３のような構成である。その他の構成部品は上記の請求項３の発明の実施例で説明したものと同じであるため省略する。この使用法はねじ山５Ａ、５Ｂを外した状態で、容器上部１と容器中部２内に粉末を収納し、ねじ山５Ａ、５Ｂを締めて螺合して使用準備を完了する。使用時はねじ山５Ａ、５Ｂを緩め、螺合が外れた後も空転させ続ける事で容器上部１と共に回転する掻き落とし部材８に掻き落とされ、排出口６から容器中部２の内壁に付着した粉末及び容器内の粉末が排出される。この発明により、上に説明した課題は解消され、螺合の採用により請求項３記載の発明の実施例に比べて容器上部１と容器中部２の強固な固定が可能となる。また単純な構造から安価での製造、簡単な洗浄が可能である。【００３７】請求項５記載の発明の実施例は、請求項４記載の発明の実施例の容器上部１の下部にねじ山５Ａを、容器上部１の上部にねじ山５Ｃを設けた図１４のような構成である。その他の構成部品は上記の請求項４の発明の実施例で説明したものと同じであるため省略する。この使用法はねじ山５Ａ、５Ｂをはずし容器上部１と容器中部２を分離した状態で、容器上部１と容器中部２内に粉末を収納し、螺合５Ａ、５Ｂをねじ山５Ａが終了するまで締まる方向へ回転させきり、さらにねじ山５Ａの上の、ねじ山５Ｃとねじ山５Ｂを締めて螺合して使用準備を完了する。使用時はねじ山５Ｃとねじ山５Ｂの螺合を緩め、螺合が外れた後も空転させ続ける事で容器上部１と共に回転する掻き落とし部材８に掻き落とされ、排出口６から容器中部２の内壁に付着した粉末及び容器内の粉末が排出される。この発明により、上に説明した課題は解決され、使用時には螺合５Ｃ、５Ｂがはずれているが、図１５のようにねじ山５Ｂがねじ山５Ａに引っ掛かるため、容器上部１と容器中部２の脱離が発生せず、さらに便利である。【００３８】請求項６記載の発明の実施例は、請求項３記載の発明の実施例の掻き落とし部材８の末端が排出口６の内部にまで届くように成形したものである。その他の構成部品及び使用法は上記の請求項３の発明の実施例で説明したものと同じであるため省略する。請求項６記載の発明の実施例を図１６に示す。【００３９】請求項７記載の発明の実施例は、請求項４記載の発明の実施例の掻き落とし部材８の末端が排出口６の内部にまで届くように成形したものである。その他の構成部品及び使用法は上記の請求項４の発明の実施例で説明したものと同じであるため省略する。【００４０】請求項８記載の発明の実施例は、請求項５記載の発明の実施例の掻き落とし部材８の末端が排出口６の内部にまで届くように成形したものである。その他の構成部品及び使用法は上記の請求項５の発明の実施例で説明したものと同じであるため省略する。【００４１】請求項６、請求項７、請求項８記載の発明の実施例は排出口６をペットボトルなどに差し込んで使用するものであるが、その際に排出口６への水分の付着のおそれがあり、これにより排出口６における粉末の凝固、それに伴う粉詰まりが発生するおそれがある。また、水分の付着が無くとも、容器上部１に対して細い排出口６において粉詰まりが発生する可能性は高い。これに対して掻き落とし部材８の末端が排出口６の内部にまで届くことで、粉末の凝固やそれに伴う粉詰まりを解消することができ、より一層の上記不都合の解消を図ったものである。【００４２】請求項９の発明の実施例は図１７に示すように容器上部１、容器中部２、押し出し部材９からなり、プラスチック、木材、金属などの加工性の良い素材で作られる。【００４３】図１７において容器上部１はその内側に押し出し部材９と嵌合部９Ａを備えた、粉末を収納する役割を持つ部品である。そして容器上部１と容器中部２を嵌合する嵌合部９Ａ、９Ｂをはずし容器上部１を上下動させる事で、容器中部２内の粉末を押し出す動作をする。【００４４】容器中部２は排出口６、傾斜２Ａ、嵌合部９Ｂを備えた漏斗状部品である。【００４５】押し出し部材９は容器中部２の内壁に付着した粉末を掻き落とすとともに、容器中部２内の粉末を押し出すよう設けられた部品である。図１７、図１８に示すように押し出し部材９はその支持部９＃が容器中部２の傾斜２Ａに沿うように成形され、押し出し部材の高さｈ＃は押し出し部材の下端が排出口６の上端に届くようにとる。押し出し部材の支持部の長さＲ＃は傾斜２Ａの長さと同程度にするのが好ましい。押し出し部材の直径ｒ＃は０より大きく、排出口６の内直径より小さい範囲で決定されるが、効果を考慮すると押し出し部材の直径ｒ＃は排出口６の内直径と同程度にするのが望ましい。尚、押し出し部材の支持部の厚さｄ＃、押し出し部材の幅ｗ＃は容器上部１と同程度にするのが好ましい。【００４６】図１９に示すように、押し出し部材の支持部９＃は容器上部１の内壁の法線方向に向けて設けられる。【００４７】上記請求項９記載の発明の実施例の使用法は嵌合部９Ａ、９Ｂを外した状態で、容器上部１と容器中部２内に粉末を収納し、嵌合部９Ａ、９Ｂを嵌合し使用準備を完了する。使用時は嵌合部９Ａ、９Ｂをはずし、容器上部１を上下動させる事で、容器上部１と共に上下動する押し出し部材９に押し出され、排出口６から容器内の粉末が排出される。支持部９＃が傾斜２Ａに沿うことで、支持部９＃が容器中部２の内壁と粉末の付着を崩し、押し出し部材９によって排出口６から排出される。この発明により、上に説明した課題は解消され、また単純な構造から安価での製造、簡単な洗浄が可能である。【００４８】請求項１０記載の発明の実施例は、上記請求項９記載の発明の実施例の嵌合９Ａ、９Ｂの代わりに容器上部１にねじ山５Ａを、容器中部にねじ山５Ｂを設けた図２０のような構成である。その他の構成部品は上記の請求項９の発明の実施例で説明したものと同じであるため省略する。この使用法は容器上部１と容器中部２の螺合を外した状態で、容器上部１と容器中部２内に粉末を収納し、容器上部１と容器中部２を螺合して使用準備を完了する。使用時は容器上部１と容器中部２の螺合をはずし容器上部１を上下動させる事で、容器上部１と共に上下動する押し出し部材９に押し出され、排出口６から容器内の粉末が排出される。支持部９＃が傾斜２Ａに沿うことで、支持部９＃が容器中部２の内壁と粉末の付着を崩し押し出し部材９によって、排出口６から排出される。この発明により、上に説明した課題は解消され、螺合の採用により請求項９記載の発明の実施例に比べて容器上部１と容器中部２の強固な固定が可能となる。また単純な構造から安価での製造、簡単な洗浄が可能である。【００４９】請求項１１記載の発明の実施例は、請求項１０記載の発明の実施例の容器上部１の下部にねじ山５Ａを、容器上部１の上部にねじ山５Ｃを設け、押し出し部材９の支持部９＃を取り払った、図２１のような構成である。この押し出し部材９は図２１に示すように円柱状の形状をしており、その直径は０より大きく、排出口６の内直径より小さい範囲で決定されるが、効果を考慮すると排出口６の内直径と同程度にするのが望ましい。また、その長さは末端が排出口６の上端に届くようにとる。【００５０】この使用法はねじ山５Ａ、５Ｂをはずし容器上部１と容器中部２を分離した状態で、容器上部１と容器中部２内に粉末を収納し、螺合５Ａ、５Ｂをねじ山５Ａが終了するまで締まる方向へ回転させきり、さらにねじ山５Ａの上の、ねじ山５Ｃとねじ山５Ｂを締めて螺合して使用準備を完了する。使用時はねじ山５Ｃとねじ山５Ｂの螺合をはずし、容器上部１を上下動させる事で、容器上部１と共に上下動する押し出し部材９とその支持部９＃に押し出され、排出口６から容器中部２の容器内の粉末が押し出される。この発明により、上に説明した課題は解決され、使用時には螺合５Ｃ、５Ｂがはずれているが、ねじ山５Ｂがねじ山５Ａに引っ掛かるため、容器上部１と容器中部２の脱離が発生せず、さらに便利である。【００５１】請求項１２記載の発明の実施例は、請求項１０記載の発明の実施例の容器上部１の下部にねじ山５Ａを、容器上部１の上部にねじ山５Ｃを設けた図２２のような構成である。その他の構成部品は上記の請求項１０の発明の実施例で説明したものと同じであるため省略する。この使用法はねじ山５Ａ、５Ｂをはずし容器上部１と容器中部２を分離した状態で、容器上部１と容器中部２内に粉末を収納し、螺合５Ａ、５Ｂをねじ山５Ａが終了するまで締まる方向へ回転させきり、さらにねじ山５Ａの上の、ねじ山５Ｃとねじ山５Ｂを螺合して使用準備を完了する。使用時はねじ山５Ｃとねじ山５Ｂの螺合を緩め、螺合をはずし容器上部１を上下動させる事で、容器上部１と共に上下動する押し出し部材９に押し出され、排出口６から容器内の粉末が排出される。支持部９＃が傾斜２Ａに沿うことで、支持部９＃が容器中部２の内壁と粉末の付着を崩し、押し出し部材９によって排出口６から排出される。この発明により、上に説明した課題は解決され、使用時には螺合５Ｃ、５Ｂがはずれているが、ねじ山５Ｂがねじ山５Ａに引っ掛かるため、容器上部１と容器中部２の脱離が発生せず、さらに便利である。【００５２】請求項１３記載の発明の実施例は、請求項９記載の発明の実施例の押し出し部材９の末端が排出口６の内部にまで届くように成形したものである。その他の構成部品及び使用法は上記の請求項９の発明の実施例で説明したものと同じであるため省略する。請求項１３記載の発明の実施例を図２３に示す。【００５３】請求項１４記載の発明の実施例は、請求項１０記載の発明の実施例の押し出し部材９の末端が排出口６の内部にまで届くように成形したものである。その他の構成部品及び使用法は上記の請求項１０の発明の実施例で説明したものと同じであるため省略する。【００５４】請求項１５記載の発明の実施例は、請求項１１記載の発明の実施例の押し出し部材９の末端が排出口６の内部にまで届くように成形したものである。その他の構成部品及び使用法は上記の請求項１１の発明の実施例で説明したものと同じであるため省略する。【００５５】請求項１６記載の発明の実施例は、請求項１２記載の発明の実施例の押し出し部材９の末端が排出口６の内部にまで届くように成形したものである。その他の構成部品及び使用法は上記の請求項１２の発明の実施例で説明したものと同じであるため省略する。【００５６】請求項１３、請求項１４、請求項１５、請求項１６の発明の実施例は排出口６をペットボトルなどに差し込んで使用するものであるが、その際に排出口６への水分の付着のおそれがあり、これにより排出口６における粉末の凝固、それに伴う粉詰まりが発生するおそれがある。また、水分の付着が無くとも、容器上部１に対して細い排出口６において粉詰まりが発生する可能性は高い。これに対して押し出し部材９の末端が排出口６の内部にまで届くことで、粉末の凝固やそれに伴う粉詰まりを解消することができ、より一層の上記不都合の解消を図ったものである。【００５７】図面における本発明の形状は一例であり、本発明の技術的範囲を限定するものではない。
【産業上の利用可能性】
【００５８】本発明に係る容器は工業的に量産する事が可能であるため、産業上の利用可能性を有する。
【図面の簡単な説明】
【００５９】
【図１】請求項１の発明の実施例で容器上部と容器中部と容器下部を螺合で一体化させた状態の正面図である。
【図２】請求項１の発明の実施例で容器上部と容器中部と容器下部を螺合で一体化させた状態のＡ−Ａ’断面図である。
【図３】請求項１の発明の実施例で容器上部と容器中部を螺合で一体化させた状態のＢ−Ｂ’断面図である。
【図４】請求項１の発明の実施例で容器上部と容器中部と容器下部を螺合で一体化させた状態の斜視図である。
【図５】請求項１、請求項２に記載の発明の実施例の攪拌部材の斜視図である。
【図６】請求項２から請求項１６に記載の発明の実施例で容器上部と容器中部を一体化させた状態の正面図である。
【図７】請求項２から請求項１６に記載の発明の実施例で容器上部と容器中部を一体化させた状態の斜視図である。
【図８】請求項１の発明の実施例で容器上部と容器中部を螺合で、容器中部と容器下部を嵌め込みで一体化させた状態のＡ−Ａ’断面図である。
【図９】請求項２の発明の実施例のＡ−Ａ’断面図である。
【図１０】請求項３の発明の実施例のＡ−Ａ’断面図である。
【図１１】請求項３から請求項５の発明の実施例の掻き落とし部材の斜視図である。
【図１２】請求項３の発明の実施例で容器上部と容器中部を嵌め込みで一体化させた状態のＢ−Ｂ’断面図である。
【図１３】請求項４の発明の実施例で容器上部と容器中部を螺合で一体化させた状態のＡ−Ａ’断面図である。
【図１４】請求項５の発明の実施例で容器上部と容器中部を螺合で一体化させた状態のＡ−Ａ’断面図である。
【図１５】請求項５の発明の実施例の使用時のＡ−Ａ’断面図である。
【図１６】請求項６の発明の実施例で容器上部と容器中部を嵌め込みで一体化指せた状態のＡ−Ａ’断面図である。
【図１７】請求項９の発明の実施例で容器上部と容器中部を嵌め込みで一体化させた状態のＡ−Ａ’断面図である。
【図１８】請求項９の発明の実施例の押し出し部材の斜視図である。
【図１９】請求項９の発明の実施例で容器上部と容器中部を嵌め込みで一体化させた状態のＢ−Ｂ’断面図である。
【図２０】請求項１０の発明の実施例で容器上部と容器中部を螺合で一体化させた状態のＡ−Ａ’断面図である。
【図２１】請求項１１の発明の実施例で容器上部と容器中部を螺合で一体化させた状態のＡ−Ａ’断面図である。
【図２２】請求項１２の発明の実施例で容器上部と容器中部を螺合で一体化させた状態のＡ−Ａ’断面図である。
【図２３】請求項１３の発明の実施例で容器上部と容器中部を螺合で一体化させた状態のＡ−Ａ’断面図である。
【符号の説明】
【００６０】１    容器上部
２    容器中部
３    容器下部
４    攪拌部材
５Ａ  容器上部の下部ねじ山
５Ｂ  容器中部の上部ねじ山
５Ｃ  容器上部の上部ねじ山
６    排出口
７Ａ  容器中部の下部ねじ山
７Ｂ  容器下部の上部ねじ山
８    掻き落とし部材
９    押し出し部材
９＃  押し出し部材の支持部
９Ａ  容器上部の嵌合部
９Ｂ  容器中部の嵌合部
ｈ    攪拌部材の高さ
Ｒ    攪拌部材の上辺の長さ
ｒ    攪拌部材の下辺の長さ
ｄ    攪拌部材の厚さ
α    攪拌部材、掻き落とし部材の傾き
２Ａ  傾斜
３Ａ  蓋状部品
ｈ＃  押し出し部材の高さ
ｒ＃  押し出し部材の直径
Ｒ＃  押し出し部材の支持部の長さ
ｄ＃  押し出し部材の支持部の厚さ
ｗ＃  押し出し部材の支持部の幅
【図１】
2006290461.tif 000003
【図２】
2006290461.tif 000004
【図３】
2006290461.tif 000005
【図４】
2006290461.tif 000006
【図５】
2006290461.tif 000007
【図６】
2006290461.tif 000008
【図７】
2006290461.tif 000009
【図８】
2006290461.tif 000010
【図９】
2006290461.tif 000011
【図１０】
2006290461.tif 000012
【図１１】
2006290461.tif 000013
【図１２】
2006290461.tif 000014
【図１３】
2006290461.tif 000015
【図１４】
2006290461.tif 000016
【図１５】
2006290461.tif 000017
【図１６】
2006290461.tif 000018
【図１７】
2006290461.tif 000019
【図１８】
2006290461.tif 000020
【図１９】
2006290461.tif 000021
【図２０】
2006290461.tif 000022
【図２１】
2006290461.tif 000023
【図２２】
2006290461.tif 000024
【図２３】
2006290461.tif 000025